(57)【特許請求の範囲】
【請求項１】
定着制御部を介して定着部に電力を供給するＡＣ負荷系電源コードと、前記定着制御部、ＤＣ負荷及び操作部を制御するＣＰＵと、前記ＣＰＵ、前記ＤＣ負荷及び前記操作部に電力を供給するＤＣ負荷系電源コードと、前記ＡＣ負荷系電源コードの入力電圧を監視し、監視結果を前記ＣＰＵに入力する電圧監視部と、を備え、前記ＣＰＵは、前記ＤＣ負荷系電源コードが入力されて動作を開始する場合に、前記電圧監視部により入力された前記監視結果に基づいて前記ＡＣ負荷系電源コードが入力されているか否かを判断することを特徴とする画像形成装置。
【請求項２】
前記操作部は表示部を備え、前記ＣＰＵは、前記電圧監視部により入力された前記監視結果を前記表示部に表示することを特徴とする請求項１に記載の画像形成装置。
【請求項３】
前記操作部は表示部を備え、前記ＣＰＵは、前記電圧監視部により入力された前記監視結果に基づいて前記ＡＣ負荷系電源コードが入力されているか否かを判断し、前記ＡＣ負荷系電源コードが入力されていないと判断した場合には、前記表示部にその旨を表示することを特徴とする請求項１に記載の画像形成装置。
【発明の詳細な説明】
【０００１】
【発明の属する技術分野】
本発明は、２本の電源コードからＡＣ電源が入力される、ＰＰＣ、プリンタ、ＦＡＸ、及びこれらの複合機等の画像形成装置に関するものである。
【０００２】
【従来の技術】
従来、消費電力が多い画像形成装置の電力供給に際しては、入力電圧を２００Ｖにしたり、１００Ｖにしても1 本当たりに流せる電流許容値の大きい電源コードを使用していた。そのため、特殊なコンセントを使用する必要が発生し、使い勝手に問題があった。その回避策として、通常用いる１００Ｖ用電源コードを２本持つ画像形成装置が提案されている。
【０００３】
【発明が解決しようとする課題】
上述したように、従来、消費電力が多い画像形成装置の電力供給に際しては、入力電圧を２００Ｖにしたり、１００Ｖにしても1 本当たりに流せる電流許容値の大きい電源コードを使用していた。
【０００４】
しかしながら、日本国内では、一般のオフィスは２００Ｖ電源を供給することができる施設や１００Ｖ１５Ａ以上供給できる施設を備えているところが限定されているため、上記の電源が必要な画像形成装置を使用できる所も限定されてしまっていた。
【０００５】
そのため、従来使用される一般的な電源コードを複数持ち、それぞれのコードに流れる電流をそのコードの規格値以下に押さえるようにして、通常の施設での使用を可能にする画像形成装置が前述したように提案されている。
【０００６】
この場合、１本のコードがコンセントに接続されているのに、他のコードが接続されていない様な場面が想定され、そのような場合、機械が故障しているのか、コードが接続されていないのか区別をつけることができないという問題点があった。
【０００７】
そこで、本発明は、電源コードが接続されているかをＣＰＵが判断することができる画像形成装置を提供することを目的とする。
【０００８】
【課題を解決するための手段】
上記目的を達成するために、本発明は、定着制御部を介して定着部に電力を供給するＡＣ負荷系電源コードと、定着制御部、ＤＣ負荷及び操作部を制御するＣＰＵと、ＣＰＵ、ＤＣ負荷及び操作部に電力を供給するＤＣ負荷系電源コードと、ＡＣ負荷系電源コードの入力電圧を監視し、監視結果をＣＰＵに入力する電圧監視部と、を備え、ＣＰＵは、ＤＣ負荷系電源コードが入力されて動作を開始する場合に、電圧監視部により入力された監視結果に基づいてＡＣ負荷系電源コードが入力されているか否かを判断する画像形成装置を最も主要な特徴とする。
【０００９】
本発明は、上記画像形成装置において、操作部は表示部を備え、ＣＰＵは、電圧監視部により入力された監視結果を表示部に表示する画像形成装置を特徴とすることができる。
【００１０】
本発明は、上記画像形成装置において、操作部は表示部を備え、ＣＰＵは、電圧監視部により入力された監視結果に基づいてＡＣ負荷系電源コードが入力されているか否かを判断し、ＡＣ負荷系電源コードが入力されていないと判断した場合には、表示部にその旨を表示する画像形成装置を特徴とすることができる。
【００１２】
【発明の実施の形態】
以下、図面により本発明の実施の形態を詳細に説明する。
【００１３】
図１は電源コード２本を持つ画像形成装置の一例を示すブロック図である。ＡＣ負荷系と、ＤＣ負荷系にＡＣ電源を供給する電源コード２本（ＡＣ負荷系電源コード１、ＤＣ負荷系電源コード２) があり、図中のＡＣ負荷系電源コード１には、定着制御部３を介して定着部４が接続されている。
【００１４】
一方、図中のＤＣ負荷系電源コード２から入力されたＡＣは、ＡＣ／ＤＣコンバート部５によってＤＣに変換され、ＣＰＵ６に供給される。ＣＰＵ６は、定着制御部３のコントロールを行い、定着部４の定着ヒータの点灯をコントロールする。またＤＣ電源はＤＣ負荷７に供給される。
【００１５】
本画像形成装置は、２本のＡＣコードを持つため、必ずしも２本ともコンセントに接続されるとは限らず、一方が接続され、もう一方が接続されていない場合が想定される。
【００１６】
もし仮に、ＤＣ負荷系電源コード２（図中のＡＣＩＮ（Ｂ))のみコンセントに接続された場合、ＤＣ電源は生成されるので、操作部上の表示部の点灯等、機械の基本的な制御は可能である。
【００１７】
ところが、ＡＣ負荷系電源コード１のみコンセントに接続されている場合は、ＤＣ負荷側にＡＣ電源が供給されず、ＣＰＵ６が立ち上がれないため、機械の基本的な制御を行うことができず、見かけ上、機械が故障しているのか単に電源コードが接続されていないのか区別を付けることができない。
【００１８】
図２は本発明の第１の実施の形態に係る画像形成装置のブロック図である。第１の実施の形態に係る画像形成装置では、ＡＣ負荷系電源コード１側にＡＣ点灯可能な発光素子８を設ける。
【００１９】
この発光素子８は、ＡＣ負荷系電源コード１がコンセントに接続されてＡＣが活電となると点灯する。逆に、ＡＣが活電にならない限り、この発光素子８は点灯することはない。
【００２０】
従って、その発光素子８の発光状態を確認することにより、少なくとも、ＡＣ負荷系電源コード１はコンセントに接続されていることを容易に確認することができる。
【００２１】
図３は本発明の第２の実施の形態に係る画像形成装置のブロック図である。第２の実施の形態に係る画像形成装置では、操作部９上に、上記発光素子８を設けてある。こうすることにより、より確実にユーザーにコンセントへの電源コードの接続状態を知らせることが可能となる。
【００２２】
図４は本発明の第３の実施の形態に係る画像形成装置のブロック図である。第３の実施の形態に係る画像形成装置では、ＡＣ負荷系電源コード１のライン上にＡＣ入力監視機構としての電圧監視部１０を設ける。この電圧監視部１０での電圧監視結果はＣＰＵ６に入力される。
【００２３】
通常、ＣＰＵ６は他方の電源コード（この例ではＡＣ負荷系電源コード１) が接続されているかどうか判断できず、制御を進めていく途中で定着異常を検知することになる。この場合、本当に定着制御部３が故障しているのか、単にコードが接続されていないのか判別することができない。
【００２４】
第３の実施の形態に係る画像形成装置では、図４に示す様に電圧監視部１０の監視結果をＣＰＵ６にフィードバックする。そうすることにより、ＣＰＵ６は、定着部４の故障なのか、ＡＣ負荷系電源コード１が接続されていないのか区別をすることができる。
【００２５】
図５は本発明の第４の実施の形態に係る画像形成装置のブロック図である。第４の実施の形態に係る画像形成装置は、図４に示す第３の実施の形態に係る画像形成装置と同様に、電圧監視部１０を設け、その監視結果を操作部９の表示部９−１に表示するものである。
【００２６】
図６は第４の実施の形態に係る画像形成装置の動作フローチャートである。まず、ＡＣＩＮ（Ｂ) すなわちＤＣ負荷系電源コード２にＡＣ電力が供給されると（Ｓ１) 、ＡＣ／ＤＣコンバート部５でＤＣ電源が生成される。この結果、ＣＰＵ６が動作を開始する（Ｓ２) 。ＣＰＵ６は、ＡＣＩＮ（Ａ) すなわちＡＣ負荷系電源コード１の電圧監視部１０からの監視結果を参照し、ＡＣＩＮ（Ａ) が接続されているかどうか判断する（Ｓ３) 。
【００２７】
判断した結果、ＡＣＩＮ（Ａ) が接続されているならば、そのまま通常シーケンスにて制御を行い（Ｓ４) 、もし、接続されていないと判断した場合は、その旨を操作部９上の表示部９−１に表示する（Ｓ５) 。例えば、「ＡＣ負荷系電源コード１が抜けています。コンセントに正しく接続して下さい。」等のメッセージを表示する。こうすることにより、ユーザーが、より確実に電源コードの接続を判断することが可能となる。
【００２８】
【発明の効果】
以上説明したように、本発明によれば、定着制御部を介して定着部に電力を供給するＡＣ負荷系電源コードと、定着制御部、ＤＣ負荷及び操作部を制御するＣＰＵと、ＣＰＵ、ＤＣ負荷及び操作部に電力を供給するＤＣ負荷系電源コードと、ＡＣ負荷系電源コードの入力電圧を監視し、監視結果をＣＰＵに入力する電圧監視部と、を備え、ＣＰＵは、ＤＣ負荷系電源コードが入力されて動作を開始する場合に、電圧監視部により入力された監視結果に基づいてＡＣ負荷系電源コードが入力されているか否かを判断することにより、ＣＰＵは、ＡＣ負荷の故障なのか、ＡＣ負荷系電源コードが接続されていないのかを区別することができる。
【００２９】
本発明によれば、操作部は表示部を備え、ＣＰＵが電圧監視部の監視結果を表示部に表示することにより、電源コードが接続されているか否か容易に判断することができる。
【００３０】
本発明によれば、操作部は表示部を備え、ＣＰＵは、電圧監視部により入力された監視結果に基づいてＡＣ負荷系電源コードが入力されているか否かを判断し、ＡＣ負荷系電源コードが入力されていないと判断した場合には、表示部にその旨を表示することにより、より確実に電源コードの接続を判断することができる。
【図面の簡単な説明】
【図１】電源コード２本を持つ画像形成装置の一例を示すブロック図である。
【図２】本発明の第１の実施の形態に係る画像形成装置のブロック図である。
【図３】本発明の第２の実施の形態に係る画像形成装置のブロック図である。
【図４】本発明の第３の実施の形態に係る画像形成装置のブロック図である。
【図５】本発明の第４の実施の形態に係る画像形成装置のブロック図である。
【図６】第４の実施の形態に係る画像形成装置の動作フローチャートである。
【符号の説明】
１  ＡＣ負荷系電源コード
２  ＤＣ負荷系電源コード
８  発光素子
【図１】
0004295949.tif 000002
【図２】
0004295949.tif 000003
【図３】
0004295949.tif 000004
【図４】
0004295949.tif 000005
【図５】
0004295949.tif 000006
【図６】
0004295949.tif 000007